(57)【要約】  【課題】  表示側筐体と操作側筐体とが実質同じ長さでありながら音声出力部が１つで且つ音声出力部や音声入力部の裏側に開口部を設ける必要のない、折畳んだ状態で通話が可能な携帯電話機を提供する。  【解決手段】  表示部側の第１筐体１と操作部側の第２筐体２がヒンジ部３により折畳み可能に連結された通信可能な携帯電話機において、ヒンジ部に音声入力部４を配置するとともに第１筐体の先端部に回動可能な音声出力部５を配置することを特徴とする。【選択図】  図１
2005294897.tif 000002
【特許請求の範囲】
【請求項１】
表示部側の第１筐体と操作部側の第２筐体がヒンジ部により折畳み可能に連結された通信可能な携帯電話機において、前記ヒンジ部に音声入力部を配置するとともに前記第１筐体の先端部に回動可能な音声出力部を配置することを特徴とする携帯電話機。
【請求項２】
請求項１記載の携帯電話機において、前記第１筐体と前記第２筐体が閉じている状態の待ち受けモードに着呼があり且つ前記音声出力部が回動されることに連動して前記待ち受けモードから通話モードに移行させるモード移行部を備えることを特徴とする携帯電話機。
【発明の詳細な説明】
【技術分野】
【０００１】
本発明は、折畳み可能な通信機能を有する携帯電話機に係わり、特に閉じたまま通話可能な技術に関する。
【背景技術】
【０００２】
近年、携帯電話機はストレートタイプから折畳みタイプが主流になっている。主な理由としては携帯性を損なわずに表示画面を大きくできることにあり、画面サイズは２〜２．５インチ（対角線）が主流である。
【０００３】
折畳みタイプでは着信があった場合には、筐体を開いて通話を開始するものが主であるが、折畳んだ状態でも通話ができれば筐体を開くという面倒な動作にならず、ユーザーにとっても使いやすいものである。さらに、画面の大型化にともない筐体の大きさも大きくなる傾向に有り、そのため筐体を開く途中で不注意に落下してしまうなどの危険性が増してきている。従って折畳んだ状態で通話を開始したいという要求は画面の大型化に伴い強くなってきている。
【０００４】
これらの要求に対して筐体を閉じたまま通話可能な従来技術では、操作側筐体の長さを表示側筐体の長さより長くする事で、操作側筐体の下部に設けたマイクを露出させ、またスピーカーは操作側筐体と表示側筐体の表示画面背面側に設けている。これにより、折畳んだ状態では、露出しているマイクと表示画面背面側に設けたスピーカーとにより通話が可能となっている（例えば、特許文献１、図１参照）。
【０００５】
また、他の従来技術では、表示部側筐体の内面側にスピーカーとマイクを設け、表示側筐体の背面までの開口部または操作側筐体を貫通する開口部または切り欠き部を設けている。これにより、折畳んだ状態では、開口部または切り欠き部からマイクとスピーカーを使用して通話が可能となっている（例えば、特許文献２、図２、図４、図７参照）。
【０００６】
さらに、他の従来技術では、表示側筐体と操作側筐体を連結するヒンジ部にマイクを配置し、表示側筐体中央上部にスピーカーを配し、その反対側、すなわち背面側にそのスピーカーと重なり合わない位置に別のスピーカーを設けている。これにより、折畳んだ状態では、ヒンジ部のマイクと表示側筐体の背面側に設けたスピーカーとにより通話が可能となっている（例えば、特許文献３、第１図、第２図参照）。
【０００７】
【特許文献１】特開２００１−３０８９９６号公報（第１図）
【０００８】
【特許文献２】特開２００２−１１１８２５号公報（第２図、第４図、第７図）
【特許文献３】特開２００３−２３４８３号公報（第１図、第２図）
【発明の開示】
【発明が解決しようとする課題】
【０００９】
しかしながら、上記従来技術では閉じたまま通話する事ができるが、次の課題がある。
【００１０】
特許文献１による従来技術では、表示側筐体と操作側筐体の長さが異なるため折り畳みとしての特徴である折畳んだ時の長さが開いた時の全長の略半分の大きさにならないため、小型化という観点ではそれを満足する事ができないという課題がある。さらに、操作側筐体に設けたマイクが筐体を折畳んだ時に表示側筐体の外に露出させる必要が有るため、必ず表示側筐体と操作側筐体とで段差が生じてデザイン上も制限されるという課題がある。
【００１１】
特許文献２による従来技術では、スピーカーとマイクのそれぞれに開口部を設ける構成であるが、スピーカーからの発音時に外部に音漏れが発生してしまう課題がある。さらに、スピーカーの背面方向に貫通穴を設けることは、音が分散して小さくなる及び音質が悪くなる課題もある。またマイクの背面方向に貫通穴を設けることは、通話中に背面の音もマイクが取ってしまうなどの課題もある。
【００１２】
また操作部筐体に開口部（貫通穴）を設ける方法も提案されているが内部の構成部品、例えば制御基板などこの開口部と同じ位置に穴を空ける必要があり、基板実装効率が悪くなり、コストアップや筐体が大きくなるという課題がある。
【００１３】
特許文献３による従来技術では、ヒンジ部にマイクを配する構造になっており、表示側の第１筐体側にはレシーバーを表裏にそれぞれ専用に設けている。これにより、折畳んだ状態は略半分の長さとし、段差のないデザインが可能となるとともに、背面への音漏れや背面の音を拾ってしまうという課題は解決できる。しかしながら、第１筐体に２個のレシーバーを配置する必要があり、その分部品点数が増してコストアップが生じるという課題がある。また、レシーバーが２つ必要とするならば制御基板側でもレシーバーの特性に合わせた設定がそれぞれ必要であるという課題もある。さらに、通話開始のためのキーが必要となりその分のコストアップも生ずるという課題があった。
【００１４】
本発明の目的は、表示側筐体と操作側筐体とが実質同じ長さでありながら音声出力部が１つで且つ音声出力部や音声入力部の裏側に開口部を設ける必要のない、折畳んだ状態で通話が可能な携帯電話機を提供することにある。
【課題を解決するための手段】
【００１５】
上記課題を解決するため、本発明は、表示部側の第１筐体と操作部側の第２筐体がヒンジ部により折畳み可能に連結された通信可能な携帯電話機において、前記ヒンジ部に音声入力部を配置するとともに前記第１筐体の先端部に回動可能な音声出力部を配置することを特徴とする。
【００１６】
これによって、ユーザーは着呼があった時に筐体をわざわざ開かなくとも、音声出力部を回動させればこの音声出力部とヒンジ部の音声入力部を使用して通話ができる。
【００１７】
本発明は、音声出力部を表示部側の第１筐体の先端部に配置するので、表示側筐体と操作側筐体とを実質同じ長さにすることができ、従来通りのコンパクトを確保することが可能である。また音声出力部を回動させればこの音声出力部と音声入力部を使用して通話ができるので、音声出力部は一つでよくその分安価であり、また音声出力部や音声入力部の裏側に開口部を設ける必要がないので、音が漏れたり、音質低下の心配も無い。さらに、筐体を開くという事は持ち損ねて落下させてしまうなどの課題もあったが、音声出力部を回動させる動作のためその扱いも簡単である。
【００１８】
さらに、本発明は、前記第１筐体と前記第２筐体が閉じている状態の待ち受けモード時に着呼があり且つ前記音声出力部が回動されることに連動して前記待ち受けモードから通話モードに移行させるモード移行部を備えることを特徴とする。
【００１９】
これによって、通話開始のためのキーが不要となってコストを低減でき、筐体を閉じたままでも音声出力部を回動して筐体の外側に音声出力部を向ける事、また音声入力部はヒンジ部に設けてあるため、閉じた状態で通話を開始する事ができる。
【発明の効果】
【００２０】
本発明によれば、表示側筐体と操作側筐体とが実質同じ長さでありながら音声出力部が１つで且つ音声出力部や音声入力部の裏側に開口部を設ける必要のない、折畳んだ状態で通話が可能な携帯電話機を得ることができる。
【発明を実施するための最良の形態】
【００２１】
以下、本発明の実施の形態を図１から図５により説明する。
【００２２】
まず、使用形態について図１から図３を用いて説明する。
【００２３】
図１は本発明の実施の形態による折畳み可能な携帯電話機を開いた状態の外観図、図２は本発明の実施の形態による折畳み可能な携帯電話機を閉じた状態の外観図である。図３は本発明の実施の形態による折畳み可能な携帯電話機を閉じた状態で、レシーバーが通話可能な位置にある外観図である。
【００２４】
表示部側の第１筐体１と操作部側の第２筐体２をヒンジ部３で開閉可能にし、ヒンジ部３の内部に音声入力部であるマイク４を配置し、第１筐体１の先端部に回動可能な音声出力部であるレシーバー５を配置している。
【００２５】
第１筐体１の閉じた時（折畳んだ状態）にキーボタン８側と向かいあう表面側にはメイン表示手段であるメイン液晶７を、その裏側にはサブ液晶１０を配置する構成となっている。第２筐体２にはキーボタン８やカーソルボタン９などの操作ボタンを有している。
【００２６】
また第２筐体側には制御基板（図示せず）、また電話やメールの着信を伝えるバイブレーター（図示せず）、スピーカー（図示せず）がそれぞれ配置され、そしてそれらを駆動するバッテリー（図示せず）が第２筐体側のキーボタン８と反対側に配置される。また、制御基板（図示せず）は、ヒンジ部３を通ったフレキシブルケーブルで、表示部側のメイン液晶７やサブ液晶１０と接続している。
【００２７】
図１の開いた状態では、メイン液晶７に表示される情報の閲覧またはキーボタン８、カーソルボタン９を使用した各種情報の入力またはマイク４と表面側に向いたレシーバー５により通話をすることができる。この状態で、待ち受けモード時に着呼した場合は、キーボタン８内の通話開始ボタンを押して通話モードに切り替えるものである。
【００２８】
図２の閉じた状態（折畳んだ状態）では、筐体を閉じた状態での待ち受けモードを示す。通常ユーザーは図１の使用状態から通話等を終了すると筐体を閉じて、この状態で携帯するものである。
【００２９】
図３は図２の待ち受けモードから着呼時に、ユーザーがレシーバー５を回動させて裏面側に向かせ通話モードに切り替えた状態を示すものである。ユーザーは、レシーバー５を回動させて通話モードにし、この裏面側に向いているレシーバー５とヒンジ部３にある外に向いているマイク４を使用することにより、第１筐体１と第２筐体２を開かなくともそのまま通話ができる。尚、通話が終了後ユーザーはレシーバー５の向きを元に戻すと、待ち受けモードにて待機する事となる。
【００３０】
上記のような構成にすることにより、表示側筐体と操作側筐体とのヒンジ部からの長さを実質同じにできる事からコンパクトで、スピーカーが１つで済み、またスピーカーやレシーバーの裏側に開口部を設けなくてすみながら、筐体を開かなくても折畳んだ状態で通話が可能となる。さらに、回動可能なレシーバーを回す事で内部に設けた検出スイッチにより待ち受けモードから着信モードへ移行させることによって、通話開始のためのキーが不要となりコストを低減できる。
【００３１】
次に、回動可能なレシーバー５について図４、図５を用いて説明する。
【００３２】
図４は本発明の実施の形態による第１筐体１の先端部に設けたレシーバーの周囲の分解斜視図、図５は本発明の実施の形態による第１筐体１の先端部の縦断面図を示したものである。
【００３３】
レシーバー５は、レシーバー上カバー１２とレシーバー下カバー１３とで挟持されるレシーバー本体１４からなり、第１筐体１の先端部に回動可能に配置されていて、携帯電話機の使用者がそのレシーバー５の向きを自由に変えられる構成となっている。
【００３４】
また、レシーバー５の回動を検出する内部スイッチ１５が制御基板１６上に配置され、その内部スイッチ１５の先端がレシーバー下カバー１３に設けている切替えカム１７に接触しており、レシーバー５の回動角度に応じて内部スイッチ１５の先端位置が変化する事から、レシーバー５の回動角度によりメイン液晶７側に向いているか、あるいはサブ液晶１０側に向いているか検出する事ができる。
【００３５】
この検出により、閉じている状態の待ち受けモード時に着呼があった場合にユーザーがレシーバー５を回動させてサブ液晶１０側に向かせることで通話モードに移行させることができる。
【００３６】
この内部スイッチ１５は第１筐体１と第２筐体２を閉じた状態で機能するものであり、例えば第１筐体１と第２筐体２を開いた状態（図１参照）では通話、待ち受けモードの切替えは無効の設定となっている。
【００３７】
図５（ａ）はレシーバー５のレシーバー本体１４がメイン液晶７と同じ方向を向いている状態であり、切替えカム１７が内部スイッチ１５を押下している状態（ＯＮ状態）である。第１筐体１と第２筐体２を閉じて内部スイッチ１５がＯＮ状態にある時は携帯電話機の機能として通話の待ち受けモード状態であり、第１筐体１を開きキーボタン８内の通話開始ボタンを押すまたはレシーバー５をサブ液晶１０側に回動する事で通話をする事ができる。
【００３８】
また図５（ｂ）はレシーバー５のレシーバー本体１４がメイン液晶７と反対側の状態で、図３に示す位置にあり、この時の内部スイッチ１５は切替えカム１７により、スイッチが切り替わった状態（ＯＦＦ状態）であり、第１筐体１が閉じた状態であっても、図示の如くレレシーバー本体１４がサブ液晶１０側に向いている事を内部スイッチ１５がＯＦＦ状態になったことで検出し、通話モードに切り替える事で通話を開始する事ができる。従ってユーザーが折畳んだ状態でレシーバー５の回動位置をメイン液晶７側に向いていれば、待ち受けモードの状態であるが、レシーバー５部を回動させてレシーバー５をサブ液晶１０側の外向きにしたときに通話モードの状態、すなわちキーボタン８内の通話開始ボタンを押した状態と同じ状態とすることができる。
【００３９】
したがって携帯電話機の待ち受け待ち受け状態時に着呼が有れば、ユーザーは筐体を開かなくともレシーバー５の向きをサブ液晶１０側に向ける事で、内部スイッチ１５がレシーバー５の向きを検知し、通話モードに切り替える事で通話を開始する事ができる。
【００４０】
本実施の形態によれば、表示側筐体と操作側筐体のヒンジからの長さを実質同じにできる事からコンパクトであり、レシーバーを回動することで向きを変えることができるのでレシーバーは一つで済み、レシーバーが回動可動できるためその内部は閉じた空間で済むから音が漏れる心配も無い。またユーザーは着信した時に筐体をわざわざ開かなくとも、レシーバー５を回動させれば待ち受けモードから通話モードに切り替わるので非常に簡単である。またレシーバー５を回動させる動作のためその扱いも簡単である。
【００４１】
さらに従来技術のレシーバーが２つ必要とする場合は制御基板側でもレシーバーの特性に合わせた設定がそれぞれ必要であり、単に片側だけの切替えでは最適な設定とは言い難い。それに対して本実施の形態ではレシーバーを囲ってその向きを変える事からレシーバーの設定を変える必要も無くなり制御そのものも単なる内部スイッチの切替えでできるので、従来よりも安価な携帯電話機を得る事ができる。
【００４２】
以上、本発明を実施の形態に基づき説明したが、本発明は実施の形態に限定されるものではなく、その要旨を逸脱しない範囲で変更可能であることはいうまでもない。
【図面の簡単な説明】
【００４３】
【図１】本発明の実施の形態による折畳み可能な携帯電話機を開いた状態の外観図である。
【図２】本発明の実施の形態による折畳み可能な携帯電話機を閉じた状態の外観図である。
【図３】本発明の実施の形態による折畳み可能な携帯電話機を閉じた状態でレシーバーが通話可能な位置にある外観図である。
【図４】本発明の実施の形態による第１筐体の先端部に設けたレシーバーの周囲の分解斜視図である。
【図５】本発明の実施の形態による第１筐体の先端部の縦断面図である。
【符号の説明】
【００４４】
１…第１筐体、２…第２筐体、３…ヒンジ部、４…マイク、５…レシーバー、７…メイン液晶、８…キーボタン、９…カーソルボタン、１０…サブ液晶、１２…レシーバー上カバー、１３…レシーバー下カバー、１４…レシーバー本体、１５…内部スイッチ、１６…制御基板、１７…切替えカム。
【図１】
2005294897.tif 000003
【図２】
2005294897.tif 000004
【図３】
2005294897.tif 000005
【図４】
2005294897.tif 000006
【図５】
2005294897.tif 000007